(57)【要約】      （修正有）【課題】使用しないときには、嵩を小さくでき、かつ部品点数も少ないペット用トイレを提供する。【解決手段】動物用トイレ１において、トレー２に取り外し可能に装着される飛散ガード３は、互いに分離可能に連結される複数の壁体３２，３３，３４により構成され、複数の壁体のそれぞれは、トレーに装着されたときに隣接する他の壁体と互いに連結するための部分として壁体の周縁の形状を部分的に特異にして設けられた連結部３２Ａ，３３Ａ，３３Ｂ，３４Ａを有し、トレーは、底壁部２１と、底壁部の端部において底壁部から上方に突き出る側壁部２２と、底壁部から突き出て側壁部の内壁面との間に飛散ガードの下端部分が嵌り込む隙間を形成する突起部４ａ，４ｂ，４ｃ，４ｄと、を有する。【選択図】図１
0003219667.tif 000002
【実用新案登録請求の範囲】
【請求項１】
トレーおよび当該トレーに取り外し可能に装着され得る飛散ガードを有する動物用トイレであって、
前記飛散ガードは、互いに分離可能に連結され得る複数の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記トレーは、底壁部と、当該底壁部の端部において当該底壁部から上方に突き出る側壁部と、当該底壁部から突き出て当該側壁部の内壁面との間に前記飛散ガードの下端部分が嵌り込む隙間を形成する突起部と、を有する、
ことを特徴とするペット用トイレ。
【請求項２】
前記飛散ガードは、前記下端部分が前記トレーの前記隙間に嵌り込んだ装着状態において、前記側壁部よりも高い位置から当該側壁部の上端よりも低い位置まで連続する飛散防止面を形成する、
請求項１記載の動物用トイレ。
【請求項３】
前記トレーの平面視の外形は四角形であり、
前記側壁部は、少なくとも左側、背面側、および右側の三方にわたる壁面を形成するように設けられており、
前記飛散ガードは、前記複数の壁体として、前記トレーに装着したときに前記側壁部における前記左側の部分と当接する平板状の左壁体、前記側壁部における前記背面側の部分と当接する平板状の背面壁体、および前記側壁部における前記右側の部分と当接する平板状の右壁体を少なくとも有する、
請求項１または２記載の動物用トイレ。
【請求項４】
前記左壁体、前記背面壁体、および前記右壁体において、厚さは互いに同一でありかつ前記トレーに装着したときの高さ方向の寸法も互いに同一であり、
前記背面壁体は、前記左壁体および前記右壁体のそれぞれと、厚さ分の幅の面どうしが接する面接触の形で前記高さ方向の全長にわたって密着する、
請求項３記載の動物用トイレ。
【請求項５】
前記連結部は、前記隣接する他の壁体が嵌り込む位置決め溝と、当該他の壁体を当該位置決め溝へ案内するガイド突起と、を有する、
請求項１ないし４のいずれかに記載の動物用トイレ。
【請求項６】
前記左壁体および前記右壁体において、これらの前記周縁の形状は同一であり、
前記背面壁体の前記周縁の形状は、左右対称である、
請求項４または５記載の動物用トイレ。
【請求項７】
前記左壁体、前記背面壁体、および前記右壁体は、いずれも透明な樹脂からなる、
請求項３ないし６のいずれかに記載の動物用トイレ。
【請求項８】
前記トレーは、前記底壁部と、前記側壁部と、前記突起部とを一体成型した構造体である、
請求項１ないし８のいずれかに記載の動物用トイレ。
【請求項９】
前記トレーは、透明な樹脂からなる、
請求項８記載の動物用トイレ。
【請求項１０】
動物用トイレのトレーに装着して用いられる飛散ガードであって、
互いに分離可能に連結され得る複数の平板状の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記連結部は、前記隣接する他の壁体が嵌り込む位置決め溝と、当該他の壁体を当該位置決め溝へ案内するガイド突起と、を有する、
ことを特徴とする動物用トイレの飛散ガード。
【請求項１１】
飛散ガードの装着が可能な動物用トイレのトレーであって、
底壁部と、当該底壁部の端部において当該底壁部から上方に突き出る側壁部と、当該底壁部から突き出て当該側壁部の内壁面との間に前記飛散ガードの下端部分が嵌り込む隙間を形成する突起部とが、一体に成型された、
ことを特徴とする動物用トイレのトレー。
【請求項１２】
トレーおよび当該トレーに取り外し可能に装着され得るガードを有する組み立て式容器であって、
前記ガードは、互いに分離可能に連結され得る複数の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記トレーは、底壁部と、当該底壁部の端部において当該底壁部から上方に突き出る側壁部と、当該底壁部から突き出て当該側壁部の内壁面との間に前記ガードの下端部分が嵌り込む隙間を形成する突起部と、を有する、
ことを特徴とする組み立て式容器。
【考案の詳細な説明】
【技術分野】
【０００１】
本考案は、犬またはその他の動物のためのトイレなどに関する。
【背景技術】
【０００２】
主に室内での使用を想定した可搬のペット用トイレとして、対象とするペット（動物）の種類に応じた大きさの樹脂製のトレーが市販されている。このトレーは、設置場所の床と対向する底壁部と、底壁部の周囲を全周にわたってまたは一部を除いて高くする側壁部とを一体化した容器（受け皿）である。側壁部の高さは、ペットが底壁部に乗る際にたやすく跨ぐことできる程度とされる。一般に、トレーの使用に際しては、トレーの底（底壁部の上面）に吸水性のシートが敷かれ、または砂などの粒状の保水材が敷きつめられる。
【０００３】
トレーをトイレとして使用する場合に、糞尿が飛び散ったり保水材が蹴り出されたりしてトレーの周辺が汚れることがある。
【０００４】
そこで、糞尿などの飛散を防ぐ飛散ガードを必要に応じてトレーに固定することができるペット用トイレの構造が提案されている。
【０００５】
非特許文献１に示されるペット用トイレは、平面視長方形のトレーと、左側、右側および背面側の三方の壁面を形成する組み立て式の飛散ガードとを有する。飛散ガードは、背面板、２枚の側板、各側板と背面板とを連結するための２個のＬ字アングル、および８個のクリップジョイントから構成され、角ばったＣ字状（コの字状）に組み立てられる。そして、飛散ガードは、トレーの側壁部に載せるように配置され、３枚の板に３個ずつ用いる計９個のジョイントによりトレーに固定される。ジョイントは、断面が縦長のＨ字状の部材であり、上下に分かれた２個の溝を有する。上側の溝に飛散ガードが嵌り込み、下側の溝にトレーの側壁部が嵌り込む。飛散ガードにおける３枚の板のそれぞれには、ジョイントの介在によりトレーとの間に隙間が生じるのを防ぐための切欠きが設けられている。
【０００６】
また、非特許文献２に示されるペット用トイレは、平面視長方形のトレーと、あらかじめ平面視角ばったＣ字状に成型された飛散ガードとを有する。この飛散ガードも非特許文献１の飛散ガードと同様にトレーの側壁部に載せるように配置され、ジョイントによりトレーに固定される。
【先行技術文献】
【非特許文献】
【０００７】
【非特許文献１】“クリアレット  ラージ  飛散ガード  組み立てタイプ”株式会社オーエフティー  ウェブサイト，２０１８年１０月２日  検索，http://oftww.com/item/clearlet_large_gk
【非特許文献２】“クリアレット  ミニ  トレー＆メッシュセット”株式会社オーエフティー  ウェブサイト，２０１８年１０月９日  検索，http://oftww.com/item/clearlet_mini_tm
【考案の概要】
【考案が解決しようとする課題】
【０００８】
非特許文献１に示される従来のペット用トイレによると、飛散ガードの平面視サイズがトレーの側壁部にちょうど載るサイズであるので、トレーに飛散ガードを装着してもペット用トイレの設置に必要な床面積は増加しない。
【０００９】
飛散ガードがトレーに固定されるので、例えばプラスチックダンボールからなる屏風式の飛散ガードをペット用トイレの外側に立てる場合とは違って、ペットがぶつかって飛散ガードの位置がずれて飛散を防止することができないという状況が起こりにくい。
【００１０】
しかし、非特許文献１に示される従来のペット用トイレには、飛散ガードの組み立てにＬ字アングルとクリップジョイントとを用い、飛散ガードとトレーとの固定にもジョイントを用いることから、部品点数が多いという問題があった。組み立てまたは分解の手間、および製品出荷時の包装などの観点において、部品点数は少ないのが望ましい。
【００１１】
他方、非特許文献２に示される従来のペット用トイレは、飛散ガードを組み立てるための部品が不要であるので、非特許文献１に示されるペット用トイレと比べて部品点数が少ない。
【００１２】
しかし、飛散ガードの嵩が組み立て式の分解状態の嵩と比べて大きいことから、使用しないで保管しておくときに大きなスペースが必要であったり、商品として流通させるときの梱包サイズが大きくなって運送コストが高くなったりする、という問題があった。
【００１３】
本考案は、上述の問題に鑑みてなされたもので、使用しないときに嵩を小さくすることができかつ部品点数が従来よりも少ない動物用トイレを提供することを目的とする。
【課題を解決するための手段】
【００１４】
本考案の実施形態に係る動物用トイレは、トレーおよび当該トレーに取り外し可能に装着され得る飛散ガードを有する動物用トイレであって、前記飛散ガードは、互いに分離可能に連結され得る複数の壁体により構成され、前記複数の壁体のそれぞれは、前記トレーに装着されたときに隣接する他の壁体とを互いに連結するための部分として当該壁体の周縁の形状を部分的に特異にすることにより設けられた連結部を有しており、前記トレーは、底壁部と、当該底壁部の端部において当該底壁部から上方に突き出る側壁部と、当該底壁部から突き出て当該側壁部の内壁面との間に前記飛散ガードの下端部分が嵌り込む隙間を形成する突起部と、を有する。
【考案の効果】
【００１５】
本考案によると、使用しないときに嵩を小さくすることができかつ部品点数が従来よりも少ない動物用トイレを提供することができる。
【図面の簡単な説明】
【００１６】
【図１】本考案の一実施形態に係るペット用トイレの構成および使用状態の例を示す斜視図である。
【図２】ペット用トイレの前面および背面の形状を示す図である。
【図３】ペット用トイレの左右の側面の形状を示す図である。
【図４】ペット用トイレの上面の形状およびトレーの上面の形状を示す図である。
【図５】ペット用トイレにおける図１（Ａ）のＶ−Ｖ矢視断面の四隅の構造を示す図である。
【図６】トレーにおける突起部の形状の例を示す部分斜視図である。
【図７】飛散ガードの背面板、左側板、および右側板の平面視形状を示す図である。
【図８】飛散ガードの連結部の平面視形状を示す図である。
【図９】飛散ガードの背面板と左側板との連結状態を示す部分斜視図である。
【図１０】図９のＡ−Ａ矢視、Ｂ−Ｂ矢視、およびＣ−Ｃ矢視の断面を示す図である。
【図１１】飛散ガードの背面板と左側板との連結の様子を示す部分斜視図である。
【考案を実施するための形態】
【００１７】
図１（Ａ）には本考案の一実施形態に係るペット用トイレ１の構成が示され、図１（Ｂ）にはペット用トイレ１の使用状態の例が示されている。
【００１８】
図２（Ａ）にはペット用トイレ１の前面の形状が、図２（Ｂ）にはペット用トイレ１の背面の形状が、図３（Ａ）にはペット用トイレ１の左側面の形状が、図３（Ｂ）にはペット用トイレ１の右側面の形状が、それぞれ示されている。また、図４（Ａ）には飛散ガード３を装着した状態のペット用トイレ１の上面の形状が示され、図４（Ｂ）には飛散ガード３を取り外した状態のペット用トイレ１の上面の形状が示されている。
【００１９】
図１〜図４に示すように、ペット用トイレ１は、トレー２および当該トレー２に取り外し可能に装着される飛散ガード３を有する。ペット用トイレ１は、例えば室内において床に置かれて使用される。
【００２０】
ペット用トイレ１の使用に際して、トレー２には吸水材として例えばシートが敷かれ、さらにその上に必要に応じて樹脂製のメッシュ板７が置かれる。メッシュ板７の代わりに屈曲した棒状の金属製のストッパを置いてシートを押さえてもよい。
【００２１】
トレー２は、底壁部２１、側壁部２２、および４個の突起部４ａ，４ｂ，４ｃ，４ｄを有する。トレー２の平面視の外形は長方形であり、トレー２の構造は左右対称である。
【００２２】
底壁部２１は、ペット８が乗る台となる部分である。底壁部２１は、平面視長方形の平板状であり、対象とするペット８に応じた平面視サイズを有する。例えば小型犬を対象とする場合に、底壁部２１の左右の寸法は４５ｃｍ程度とされ、前後方向の寸法は３５ｃｍ程度とされる。
【００２３】
なお、底壁部２１の厚さは、例えば３〜５ｍｍ程度とされる。底壁部２１の下面（底面）には、床に置いた状態を安定させるゴム足５１，５２，５３，５４が取り付けられている（図２〜図４参照）。
【００２４】
側壁部２２は、底壁部２１の周囲を高くする部分であり、底壁部２１の前面側、左側、背面側、および右側の四方にわたる壁面を形成するように底壁部２１の端部において底壁部２１から上方に突き出る枠状に設けられている。側壁部２２は、前面壁部２２１、左壁部２２２、背面壁部２２３、および右壁部２２４から構成される。
【００２５】
前面壁部２２１、左壁部２２２、背面壁部２２３、および右壁部２２４は、いずれも厚さＹ（図９参照）が４〜６ｍｍ程度の平板状とされ、底壁部２１の上面に対して垂直の壁面を形成する。左壁部２２２、背面壁部２２３、および右壁部２２４は、水平方向に長い長方形である。前面壁部２２１は、左右方向の中央部分を両側部分よりも低くするように長方形を切り欠いた形状に形成されており、ペット８の出入り口となる低壁部（切欠き部）２２１Ａを有する。
【００２６】
側壁部２２の高さは、前面壁部２２１の低壁部２２１Ａを除いて均一であり、例えば５〜７ｃｍ程度とされる。低壁部２２１Ａの最も低い部分の高さは、例えば１．５〜３ｃｍ程度とされる。図示の例では、前面壁部２２１は低壁部２２１Ａとその両側の部分を合わせてトレー２の左右方向の全長にわたるが、低壁部２２１Ａを無くして左右の両端部に分かれる構成としてもよい。前面壁部２２１を無くして、左壁部２２２と背面壁部２２３と右壁部２２４とにより側壁部２２を構成してもよい。
【００２７】
突起部４ａ〜４ｄは、飛散ガード３をトレー２に固定するための部分であり、底壁部２１の四隅に設けられている。後に述べるように、突起部４ａ〜４ｄは、底壁部２１から突き出て側壁部２２の内壁面との間に飛散ガード３の下端部分が嵌り込む隙間を形成する。
【００２８】
このようなトレー２は、金型を用いた射出成型により製造され、底壁部２１、側壁部２２、および突起部４ａ〜４ｄが一体に成形される。材料としてアクリル樹脂またはポリスチレン樹脂などを用いて全体に透明とする。ただし、半透明または不透明としてもよいし、顔料の添加による着色、塗装、コーティング、またはその他の表面加工を施してもよい。
【００２９】
飛散ガード３は、互いに分離可能に連結される複数の壁体により構成され、複数の壁体のそれぞれは、当該壁体とこれに隣接する他の壁体とを互いに連結するための部分として当該壁体の周縁の形状を部分的に特異にすることにより設けられた連結部を有している。飛散ガード３は、その下端部分がトレー２における側壁部２２の内側の隙間に嵌り込んだ装着状態において、側壁部２２よりも高い位置から側壁部２２の上端よりも低い位置まで連続する飛散防止面Ｓ３を形成する。詳しくは、次の通りである。
【００３０】
飛散ガード３は、複数の壁体として、左側板３２、背面板３３、および右側板３４を有している。装着状態において、左側板３２はトレー２の左壁部２２２と当接し、背面板３３は背面壁部２２３と当接し、右側板３４は右壁部２２４と当接する（図４参照）。
【００３１】
左側板３２、背面板３３、および右側板３４は、いずれも厚さが均一な平板である。本実施形態においては、これらの３枚の板の厚さは等しく、例えば５ｍｍ程度とされる。ただし、必ずしも厚さが同一である必要はなく、３枚のそれぞれの厚さが他の厚さと異なってもよいし、左側板３２および右側板３４の厚さが等しく、背面板３３の厚さが他の２枚の厚さと異なってもよい。
【００３２】
左側板３２は、装着状態において背面側の上隅となる位置に、背面板３３との連結のための連結部３２Ａを有する。
【００３３】
背面板３３は、装着状態において左上隅となる位置に、左側板３２との連結のための連結部３３Ａを有し、同じく右上隅となる位置に、右側板３４との連結のための連結部３３Ｂを有する。
【００３４】
右側板３４は、装着状態において背面側の上隅となる位置に、背面板３３との連結のための連結部３４Ａを有する。
【００３５】
背面板３３に対して直交するように左側板３２と右側板３４とが背面板３３に連結されて、前面側以外の三方を囲む飛散ガード３が得られる。組み立てた状態の飛散ガード３の構造は、左右対称である。
【００３６】
あらかじめ組み立てた飛散ガード３をトレー２に装着することも可能であるが、本実施形態では、背面板３３と左側板３２と右側板３４とを順にトレー２に嵌め込んで飛散ガード３の組み立ておよび装着を行うことが可能である。
【００３７】
図５にはペット用トイレ１における図１（Ａ）のＶ−Ｖ矢視断面の四隅の構造が示され、図６（Ａ）にはトレー２における背面側の突起部４ｃの形状の例が示され、図６（Ｂ）には同じく前面側の突起部４ａの形状の例が示されている。
【００３８】
図５の通り、左側板３２および右側板３４は、それぞれの端面Ｓ３２ｅ，Ｓ３４ｅが背面板３３の壁面（主面）Ｓ３３と当接するように背面板３３と連結される。このため、左側板３２および右側板３４のそれぞれとトレー２の背面壁部２２３との間に背面板３３が介在する。
【００３９】
背面板３３は、その左端部が突起部４ｃと背面壁部２２３との間に嵌り込み、その右端部が突起部４ｄと背面壁部２２３との間に嵌り込む。
【００４０】
左側板３２は、突起部４ａと左壁部２２２との間、および突起部４ｃと左壁部２２２との間に嵌り込む。右側板３４は、突起部４ｂと右壁部２２４との間、および突起部４ｄと右壁部２２４との間に嵌り込む。
【００４１】
図６（Ａ）において、突起部４ｃは、左壁部２２２と平行な主壁部４１とその背面側の端部から右側へ張り出す控壁部４２とからなる底面がＬ字状の壁体である。突起部４ｃの高さは、飛散ガード３の着脱のしやすさおよびトレー２の取扱いの便宜などを考慮して、左壁部２２２および背面壁部２２３の高さの半分から３分の２程度の値とされている。
【００４２】
主壁部４１と左壁部２２２の内壁面Ｓ２２２との間に、左側板３２が嵌り込む隙間８１が形成され、主壁部４１および控壁部４２と背面壁部２２３の内壁面Ｓ２２３との間に、背面板３３が嵌り込む隙間８２が形成されている。
【００４３】
突起部４ｃと内壁面Ｓ２２２との距離Ｌ１は、左側板３２の厚さと同じ値または若干のクリアランス分を加えた値とされ、突起部４ｃと内壁面Ｓ２２３との距離Ｌ２は、背面板３３の厚さと同じ値または若干のクリアランス分を加えた値とされる。本実施形態では左側板３２の厚さと背面板３３の厚さとが等しいので、距離Ｌ１と距離Ｌ２は実質的に等しい（Ｌ１＝Ｌ２）。
【００４４】
図６（Ｂ）において、突起部４ａは、左壁部２２２と平行な平板状の壁体であり、前面壁部２２１と連続している。突起部４ｃの高さは、突起部４ｃの高さと等しい。
【００４５】
突起部４ａと左壁部２２２の内壁面Ｓ２２２との間に、左側板３２が嵌り込む隙間８３が形成されている。突起部４ａと内壁面Ｓ２２２との距離Ｌ３は、上述の距離Ｌ１と等しい（Ｌ３＝Ｌ１）。
【００４６】
なお、図５などから分かる通り、トレー２の右端側の突起部４ｂは、突起部４ａと左右対称に設けられており、同じく突起部４ｄは、突起部４ｃと左右対称に設けられている。つまり、突起部４ｂおよび突起部４ｄと側壁部２２との間には、隙間８１，８２，８３と同様の隙間が形成されている。
【００４７】
図７（Ａ）には飛散ガード３の背面板３３の平面視形状が示され、図７（Ｂ）には左側板３２および右側板３４の平面視形状が示されている。
【００４８】
図７（Ａ）において、背面板３３の概略の形状は、寸法Ｗ１の長辺と寸法Ｈ３の短辺とからなる長方形９３である。図中に長方形９３の周縁（輪郭）を一点鎖線で示してある。
【００４９】
しかし、上に述べたように連結部３３Ａ，３３Ｂを設けたことにより、実際の形状は、長方形９３における短辺方向の一端側（装着状態における上側）の２つの隅において部分的に特異な形状となっている。ただし、全体としては、長辺方向の中央を軸として左右対称である。これらの連結部３３Ａ，３３Ｂの形状を後に詳述する。
【００５０】
長辺の寸法Ｗ１は、装着状態における背面板３３の下端縁の寸法に相当し、短辺の寸法Ｈ３は、装着状態における背面板３３の高さに相当する。寸法Ｗ１は、トレー２の側壁部２２における左右方向の内径寸法と実質的に等しいか若干短い値とされる。寸法Ｈ３は、寸法Ｗ１を例えば４５ｃｍ程度とする場合に、２０〜３０ｃｍ程度とされる。
【００５１】
これに対して、背面板３３における連結部３３Ａ，３３Ｂを設けた側の長辺方向に延びる端縁の寸法Ｗ２、すなわち装着状態における上端縁の寸法は、寸法Ｗ１よりも短い。つまり、背面板３３の上端側の隅は、長方形９３を部分的に切り欠いた形状とされている。寸法Ｗ１と寸法Ｗ２との差は、左側板３２の厚さと右側板３４の厚さとの和とされている。
【００５２】
また、背面板３３の周縁は、連結部３３Ａにおいて長方形９３の左方に張り出し、連結部３３Ｂにおいて長方形９３の右方に張り出す。つまり、背面板３３は、長辺方向の寸法Ｗ３が長辺の寸法Ｗ１よりも長い部分を有している。
【００５３】
このような背面板３３は、材料として平板を用いて切断または打ち抜き、および研磨などの端面加工を行うことにより、または金型を用いた成型により製造することができる。本実施形態では、背面板３３を透明な板とする。材質としては、トレー２と同様に、アクリル樹脂またはポリスチレン樹脂などがある。
【００５４】
図７（Ｂ）に描かれた形状は、左側板３２と右側板３４とに共通である。すなわち、左側板３２および右側板３４の形状は同一であり、寸法も同一である。図７（Ｂ）についての次の説明は、便宜的に左側板３２を対象として行う。
【００５５】
左側板３２の概略の形状は、寸法Ｄ１の長辺と寸法Ｈ２の短辺とからなる長方形９２である。図中に長方形９２の周縁を一点鎖線で示してある。
【００５６】
しかし、上に述べたように連結部３２Ａを設けたことにより、実際の形状は、長方形９２における短辺方向の一端側（装着状態における上側）の１つの隅において部分的に特異な形状となっている。連結部３２Ａの形状を後に詳述する。
【００５７】
長辺の寸法Ｄ１は、装着状態における左側板３２の下端縁の寸法に相当し、短辺の長さＨ２は、装着状態における左側板３２の高さに相当する。寸法Ｄ１は、トレー２の側壁部２２における前後方向の内径寸法から背面板３３の厚さを差し引いた値と実質的に等しいか若干短い値とされる。寸法Ｈ２は、背面板３３の寸法Ｈ３と等しくする。これにより、飛散ガード３の高さが均一になる。ただし、必ずしも寸法Ｈ２と寸法Ｈ３とを等しくする必要はない。
【００５８】
これに対して、左側板３２における連結部３２Ａを設けた側の長辺方向に延びる端縁の寸法Ｄ２、すなわち装着状態における上端縁の寸法は、寸法Ｄ１よりも長い。つまり、左側板３２の上端側の隅は、長方形９２を部分的に突出させた形状とされている。寸法Ｄ１と寸法Ｄ２との差は、背面板３３の厚さよりも大きい。
【００５９】
このような左側板３２および右側板３４は、背面板３３と同様の手法により製造することができる。本実施形態では、左側板３２および右側板３４を背面板３３と同じ材質の透明な板とする。
【００６０】
なお、左側板３２、右側板３４、および背面板３３のいずれにおいても、表裏の壁面を周回する環状の端面は、全周にわたって壁面に対して実質的に垂直である。左側板３２、右側板３４、および背面板３３のそれぞれの平面方向に沿う断面の形状は、厚さ方向の断面位置にかかわらず一定である。
【００６１】
図８（Ａ）には左側板３２の連結部３２Ａの平面視形状が示され、図８（Ｂ）には背面板３３の連結部３３Ａの平面視形状が示されている。
【００６２】
図８（Ａ）に示すように、連結部３２Ａは、上に述べた長方形９２から突出する部分である。連結部３２Ａは、背面板３３が嵌り込む位置決め溝６１と、背面板３３を位置決め溝６１へ案内するガイド突起６２とを有する。
【００６３】
位置決め溝６１は、連結部３２Ａの下端側に設けられて下方に開口している。ガイド突起６２は、位置決め溝６１の外側に設けられて位置決め溝６１の底面６１Ａよりも下方に突出する。
【００６４】
位置決め溝６１の底面６１Ａは、長方形９２の短辺と直交する平坦面とされている。左側板３２の上端から底面６１Ａまでの寸法Ｖ２は、３ｃｍ程度とされる。位置決め溝６１の一方の側壁面は、左側板３２における長方形９２の短辺に対応する部分の端面であり、他方の側壁面は、ガイド突起６２の端面の一部を底面６１Ａと直交するように形成した面である。位置決め溝６１は、その深さＴ２が０．３〜１ｍｍ程度の浅い溝とされる。位置決め溝６１の幅Ｗ５は、背面板３３の厚さと同じ値とされる。
【００６５】
ガイド突起６２における位置決め溝６１よりも下方に突出する部分は、平面視半円弧状とされ、この半円弧状の部分のうちの位置決め溝６１とつながる４分の１円弧の部分の端面が、背面板３３を位置決め溝６１へ案内するガイド面６２Ａとなる。残りの４分の１円弧の部分は、角を丸めるように形成されたものである。
【００６６】
なお、右側板３４の連結部３４Ａの形状は、左側板３２の連結部３２Ａの形状と同様である。
【００６７】
図８（Ｂ）に示すように、連結部３３Ａは、上に述べた長方形９３の隅を短辺方向に長い帯状に切り欠いた形の窪み部７１と、長方形９３から突出する突出部７２とから構成され、左側板３２が嵌り込む位置決め溝７３と、左側板３２を位置決め溝７３へ案内するガイド突起７４とを有する。
【００６８】
位置決め溝７３は、窪み部７１の下端側に設けられて上方に開口する。ガイド突起７４は、位置決め溝７３の外側に設けられて位置決め溝７３の底面７３Ａよりも上方に突出する。
【００６９】
位置決め溝７３の底面７３Ａは、長方形９３の短辺と直交する平坦面とされている。背面板３３の上端から底面７３Ａまでの寸法Ｖ３は、左側板３２における寸法Ｖ２に等しい値とされる（Ｖ３＝Ｖ２）。
【００７０】
位置決め溝７３の一方の側壁面は、窪み部７１において左側板３２の上端面と底面７３Ａとにつながる端面であり、他方の側壁面は、ガイド突起７４の端面の一部を底面７３Ａと直交するように形成した面である。位置決め溝７３は、その深さＴ３が深さＴ２と同程度の浅い溝とされる。位置決め溝７３の幅Ｗ６は、左側板３２の厚さと同じ値とされる。
【００７１】
ガイド突起７４における位置決め溝７３よりも上方に突出する部分は、平面視半円弧状とされ、この半円弧状の部分のうちの位置決め溝７３とつながる４分の１円弧の部分の端面が、左側板３２を位置決め溝７３へ案内するガイド面７４Ａとなる。残りの４分の１円弧の部分は、角を丸めるように形成されたものである。
【００７２】
なお、背面板３３の連結部３３Ｂの形状は、連結部３２Ａの形状と同様である。
【００７３】
図９には飛散ガード３の背面板３３と左側板３２との連結状態が示されている。図１０（Ａ）には図９のＡ−Ａ矢視の断面が、図１０（Ｂ）には同じくＢ−Ｂ矢視の断面が、図１０（Ｃ）には同じくＣ−Ｃ矢視の断面が、それぞれ示されている。図１１には飛散ガードの背面板３３と左側板３２との連結の様子が示されている。
【００７４】
図９に示すように、連結状態において、背面板３３の位置決め溝７３の底面７３Ａの上に左側板３２の位置決め溝６１の底面６１Ａが重なって両者が密着し、背面板３３の上端面と左側板３２の上端面とが面一となる。
【００７５】
底面６１Ａ，７３Ａが密着した位置の上側では、図１０（Ａ）のように背面板３３の端面Ｓ３３ｅと左側板３２の壁面Ｓ３２とが密着し、当該位置の下側では、図１０（Ｃ）のように左側板３２の端面Ｓ３２ｅと背面板３３の壁面Ｓ３３とが密着する。すなわち、左側板３２および背面板３３は、これらの一方または他方の厚さ分の幅の面どうしが接する面接触の形で高さ方向の全長にわたって密着する。
【００７６】
次にペット用トイレ１の組立ての手順を述べる。
【００７７】
まず、トレー２に背面板３３を装着する。連結部３３Ａ，３３Ｂが上側になるように背面板３３を立てた状態で、トレー２の隙間８２に嵌め込む。背面板３３の形状は左右対称でありかつ透明であるので、表裏の向きに注意しなくてもよい。隙間８２に嵌め込むことで背面板３３が自立するので、倒れないように持ち続けておく必要はない。
【００７８】
次に、左側板３２または右側板３４を装着する。ここでは、例えば左側板３２を装着するものとする。連結部３２Ａが上側でかつ背面側となるように立てた状態で、左側板３２をトレー２の隙間８１，８３に嵌め込む。このとき、図１１に示すように、背面板３３の底面７３Ａと左側板３２の底面６１Ａとが対向するように位置合わせしながら、左側板３２の連結部３２Ａを背面板３３の連結部３３Ａに近づける。
【００７９】
底面６１Ａと底面７３Ａとがガイド突起７４の高さ以下の距離まで近づいた頃に、少し強く左側板３２を押してトレー２への嵌め込みを完了させる。このとき、ガイド突起６２とガイド突起７４とにより案内されて位置決め溝６１，７３が嵌り合い、背面板３３と左側板３２とが互いに位置決めされる。
【００８０】
最後に、同様の要領で他方の側板（ここでの例では右側板３４）を装着する。
【００８１】
ペット用トイレ１の分解は、組立てと逆の順序で行なえばよい。詳しくは、左側板３２と右側板３４と１枚ずつトレー２から順に引き抜き、その後に背面板３３をトレー２から引き抜く。
【００８２】
以上の実施形態によると、飛散ガード３が組み立て式であるので、従来の一体式とは違って、飛散ガード３を使用しないときに飛散ガード３の嵩を小さくすることができる。これにより、ユーザーが保管するときに必要なスペースが小さくなるとともに、商品として梱包して流通させる際に梱包サイズを小さくして運送コストを低減することができる。
【００８３】
飛散ガード３を構成する左側板３２、右側板３４、および背面板３３がいずれも平板であるので、例えば壁面を部分的に突出させて連結部を設けるものとは違って、３枚を不用の隙間を生じさせることなく重ね合わせることができる。これにより、使用しないときの飛散ガード３の嵩をより小さくすることができる。
【００８４】
加えて、Ｌ字アングルおよびジョイントなどの連結用の部材を用いることなく飛散ガード３を工具不要で組み立てることができ、連結用の部材を用いることなく飛散ガード３をトレー２に工具不要で固定することができる。これにより、トレー２とトレー２に取り外し可能に装着される組み立て式の飛散ガード３とを有するペット用トイレ１の部品点数を従来よりも少なくすることができる。
【００８５】
部品点数を少なくすることにより、商品化において、部品の良否検査および部品を仕分けて包装したり梱包漏れの有無をチェックしたりする手間を低減することができ、包装材の種類を削減して梱包を簡素化するこができることから、製造コストを低減することができる。
【００８６】
上に述べた実施形態によると、装着状態の飛散ガード３の内壁面（飛散防止面Ｓ３）が飛散ガード３の上端からトレー２の側壁部２２の上端よりも低い位置まで連続するので、飛散防止面を伝って流れ落ちる糞尿が従来よりも確実にトレー２の底に流れ着く。トレーの上に飛散ガードを載せる従来例とは違って、飛散防止面Ｓ３に高さ方向の途中で水平方向に延びる切れ目が無いので、このような切れ目を伝って糞尿がトレーの外側に染み出て設置場所を汚すおそれがない。
【００８７】
上に述べた実施形態によると、背面板３３が左側板３２および右側板３４のそれぞれと面接触の形で高さ方向の全長にわたって密着するので、平板以外の部材を用いない連結でありながら、少なくとも従来例と同程度の機械的強度の連結状態を得ることができる。
【００８８】
上に述べた実施形態によると、飛散ガード３における左側板３２および右側板３４の形状が同一であるので、左側板３２と右側板３４とをそれらの前後の向きを入れ替えてトレー２に装着することにより互いに代用することが可能である。すなわち、左側板３２を右側板３４として使用し、右側板３４を左側板３２として使用することができる。
【００８９】
左側板３２および右側板３４がそれぞれ均質であって表裏の区別がないので、左側板３２と右側板３４を入れ替えてトレー２に装着しても、ペット用トイレ１の外観が変わらない。つまり、ユーザーがペット用トイレ１を組み立てる際に左側板３２と右側板３４とを区別するする必要がない。このことは、組立ての作業性を高める。特に、洗浄または清掃のために飛散ガード３の分解と組み立てとをしばしば行うユーザーにとって好ましい。
【００９０】
上に述べた実施形態において示した材質および寸法の具体例は一例であり、それらに限定するものではない。対象とするペット８に応じて平面視サイズおよび高さを選定し、必要な機械的強度が得られるよう各部の厚さなどの寸法条件および材質を選定すればよい。
【００９１】
上に述べた実施形態において、飛散ガード３を４枚以上の板を連結する構成としてもよい。具体的には、左側板３２と右側板３４と背面板３３とに前面板を加える。前面板は左右の長さを背面板３３の４分の１程度とした２枚組とし、トレー２の前面壁部２２１の内側に低壁部２２１Ａを避けるように左右に振り分けて配置する。一方の前面板は左側板３２と連結し、他方の前面板は左側板３２と連結する。この場合、トレー２には、４個の突起部４ａ〜４ｄに加えて前面板を固定するための突起部を設ける。各前面板には背面板３３の連結部３３Ａと同様の連結部を設け、左側板３２および右側板３４のそれぞれには左右対称に連結部３２Ａを設けると、左側板３２と右側板３４との入替え、および前面板どうしの入替えが可能になる。
【００９２】
左側板３２および右側板３４と背面板３３との間で連結部の形状を入れ替えてもよい。詳しくは、背面板３３の２個の連結部３３Ａ，３３Ｂの両方の形状を左側板３２の連結部３２Ａの形状とし、左側板３２および右側板３４の連結部３２Ａ，３４Ａの形状を背面板３３の連結部３３Ａとすることができる。この場合は、背面板３３の下端部分の長さをトレー２の側壁部２２における左右方向の内径寸法よりも左側板３２および右側板３４の厚さ分だけ短くし、左側板３２および右側板３４の下端部分の長さを側壁部２２における前後方向の内径寸法と等しくする。組み立てに際しては、左側板３２および右側板３４をトレー２に装着した後に、背面板３３を装着すればよい。
【００９３】
または、背面板３３の連結部３３Ａ，３３Ｂの一方の形状を左側板３２の連結部３２Ａの形状とし、例えば左側板３２の連結部３２Ａの形状を背面板３３の連結部３３Ａの形状としてもよい。この場合は、背面板３３の下端部分の長さを側壁部２２における左右方向の内径寸法よりも左側板３２の厚さ分だけ短くし、左側板３２の下端部分の長さを側壁部２２における前後方向の内径寸法と等しくする。組み立てに際しては、左側板３２をトレー２に装着した後に背面板３３をトレー２に装着し、さらにその後に右側板３４を装着すればよい。
【００９４】
左側板３２、右側板３４、および背面板３３のいずれについても、全体的にまたは部分的に湾曲させる変形例が考えられる。厚さＹが均等ではない壁体であってもよい。平板の壁面に凹凸模様を切削または型成型などにより付加してもよい。
【００９５】
上に述べた実施形態においては、トレー２の四隅に１個ずつ突起部４ａ〜４ｄを設けたが、突起部４ａ〜４ｄの個数は４に限らない。例えば、背面側の突起部４ｃと突起部４ｄとの間に、背面板３３を固定するための突起部を１個以上設けてもよい。突起部４ａと突起部４ｃとの間、および突起部４ｂと突起部４ｄとの間に、突起部を追加してもよい。突起部４ｃと突起部４ｄとを連続させてもよいし、突起部４ａと突起部４ｃとを連続させかつ突起部４ｂと突起部４ｄとを連続させてもよい。さらに、突起部４ａから突起部４ｃと突起部４ｄとを経て突起部４ｂまで連続する平面視Ｃ字状の突起部を形成してもよい。
【００９６】
上に述べた実施形態においては、平面視長方形のペット用トイレ１の短辺方向を前後方向としたが、長辺方向を前後方向としてもよい。その場合は、トレー２における低壁部２２１Ａを設ける位置を、側壁部における長辺に対応する位置から短辺に対応する位置へ変更し、飛散ガードにおける左右の側板を背面板よりも長くする。
【００９７】
上に述べた実施形態におけるペット用トイレ１を、動物用のトイレ以外の用途において組み立て式容器として使用することができる。例えば、植物またはその他の生物の育成または観察などのための容器、物品の洗浄・組み立て・加工などのための作業トレー、展示物または商品を置く陳列ケースなどとして使用することができる。用途によっては飛散ガード３に通気孔を設けてもよいし、飛散を防止する必要がなく空間を仕切るガードとしてトレー２に装着する場合は、飛散ガード３をメッシュ板としてもよい。
【００９８】
その他、ペット用トイレ１の全体または各部の構成、構造、材質、寸法、形状などは、本発明の趣旨に沿って適宜変更することができる。
【符号の説明】
【００９９】
１  ペット用トイレ
２  トレー
２１  底壁部
２２  側壁部
２２２  左壁部（左側の部分）
２２３  背面壁部（背面側の部分）
２２４  右壁体（右側の部分）
３  飛散ガード
３２  左側板（壁体）
３３  背面板（壁体）
３４  右側板（壁体）
３２Ａ，３３Ａ，３３Ｂ，３４Ａ  連結部
Ｓ３  飛散防止面
４ａ，４ｂ，４ｃ，４ｄ  突起部
８１，８２，８３  隙間
６１，７３  位置決め溝
６２，７４  ガイド突起
【図１】
0003219667.tif 000003
【図２】
0003219667.tif 000004
【図３】
0003219667.tif 000005
【図４】
0003219667.tif 000006
【図５】
0003219667.tif 000007
【図６】
0003219667.tif 000008
【図７】
0003219667.tif 000009
【図８】
0003219667.tif 000010
【図９】
0003219667.tif 000011
【図１０】
0003219667.tif 000012
【図１１】
0003219667.tif 000013
【手続補正書】
【提出日】平成30年11月8日(2018.11.8)
【手続補正１】
【補正対象書類名】実用新案登録請求の範囲
【補正対象項目名】全文
【補正方法】変更
【補正の内容】
【実用新案登録請求の範囲】
【請求項１】
トレーおよび当該トレーに取り外し可能に装着され得る飛散ガードを有する動物用トイレであって、
前記飛散ガードは、互いに分離可能に連結され得る複数の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記トレーは、底壁部と、当該底壁部の端部において当該底壁部から上方に突き出る側壁部と、当該底壁部から突き出て当該側壁部の内壁面との間に前記飛散ガードの下端部分が嵌り込む隙間を形成する突起部と、を有する、
ことを特徴とするペット用トイレ。
【請求項２】
前記飛散ガードは、前記下端部分が前記トレーの前記隙間に嵌り込んだ装着状態において、前記側壁部よりも高い位置から当該側壁部の上端よりも低い位置まで連続する飛散防止面を形成する、
請求項１記載の動物用トイレ。
【請求項３】
前記トレーの平面視の外形は四角形であり、
前記側壁部は、少なくとも左側、背面側、および右側の三方にわたる壁面を形成するように設けられており、
前記飛散ガードは、前記複数の壁体として、前記トレーに装着したときに前記側壁部における前記左側の部分と当接する平板状の左壁体、前記側壁部における前記背面側の部分と当接する平板状の背面壁体、および前記側壁部における前記右側の部分と当接する平板状の右壁体を少なくとも有する、
請求項１または２記載の動物用トイレ。
【請求項４】
前記左壁体、前記背面壁体、および前記右壁体において、厚さは互いに同一でありかつ前記トレーに装着したときの高さ方向の寸法も互いに同一であり、
前記背面壁体は、前記左壁体および前記右壁体のそれぞれと、厚さ分の幅の面どうしが接する面接触の形で前記高さ方向の全長にわたって密着する、
請求項３記載の動物用トイレ。
【請求項５】
前記連結部は、前記隣接する他の壁体が嵌り込む位置決め溝と、当該他の壁体を当該位置決め溝へ案内するガイド突起と、を有する、
請求項１ないし４のいずれかに記載の動物用トイレ。
【請求項６】
前記左壁体および前記右壁体において、これらの前記周縁の形状は同一であり、
前記背面壁体の前記周縁の形状は、左右対称である、
請求項４記載の動物用トイレ。
【請求項７】
前記左壁体、前記背面壁体、および前記右壁体は、いずれも透明な樹脂からなる、
請求項３、４または６記載の動物用トイレ。
【請求項８】
前記トレーは、前記底壁部と、前記側壁部と、前記突起部とを一体成型した構造体である、
請求項１ないし７のいずれかに記載の動物用トイレ。
【請求項９】
前記トレーは、透明な樹脂からなる、
請求項８記載の動物用トイレ。
【請求項１０】
動物用トイレのトレーに装着して用いられる飛散ガードであって、
互いに分離可能に連結され得る複数の平板状の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記連結部は、前記隣接する他の壁体が嵌り込む位置決め溝と、当該他の壁体を当該位置決め溝へ案内するガイド突起と、を有する、
ことを特徴とする動物用トイレの飛散ガード。
【請求項１１】
飛散ガードの装着が可能な動物用トイレのトレーであって、
底壁部と、当該底壁部の端部において当該底壁部から上方に突き出る側壁部と、当該底壁部から突き出て当該側壁部の内壁面との間に前記飛散ガードの下端部分が嵌り込む隙間を形成する突起部とが、一体に成型された、
ことを特徴とする動物用トイレのトレー。
【請求項１２】
トレーおよび当該トレーに取り外し可能に装着され得るガードを有する組み立て式容器であって、
前記ガードは、互いに分離可能に連結され得る複数の壁体により構成され、
前記複数の壁体のそれぞれは、前記トレーに装着されたときに隣接する他の壁体と互いに連結するための部分として当該壁体の周縁の形状を部分的に特異にすることにより設けられた連結部を有しており、
前記トレーは、底壁部と、当該底壁部の端部において当該底壁部から上方に突き出る側壁部と、当該底壁部から突き出て当該側壁部の内壁面との間に前記ガードの下端部分が嵌り込む隙間を形成する突起部と、を有する、
ことを特徴とする組み立て式容器。